(57)【要約】【課題】極めて結露が生じ易い環境にあるヒンジ部においても、容易かつ広範囲に渡って結露防止を行える保冷庫等の結露防止構造を提供すること。【解決手段】庫体１に設けられた開口部２にヒンジ３を介して開閉可能な開閉扉４を有し、庫内の温度を低温に保つ保冷庫等において、開口部を形成する庫体パネル５の開口部側縁部に、ヒンジを固定するための枠材１０を設け、この枠材におけるヒンジ固定箇所の開閉扉側及び庫体パネル側の両側に、ヒータ線配設用溝部４０を設ける。【選択図】        図２
2007113871.tif 000002
【特許請求の範囲】
【請求項１】
庫体に設けられた開口部にヒンジを介して開閉可能な開閉扉を有し、庫内の温度を低温に保つ保冷庫等において、
上記開口部を形成する庫体パネルの開口部側縁部に、上記ヒンジを固定するための枠材を設け、
上記枠材におけるヒンジ固定箇所の上記開閉扉側及び庫体パネル側の両側に、ヒータ線配設用溝部を設けてなる、
ことを特徴とする保冷庫等における結露防止構造。
【請求項２】
請求項１記載の保冷庫等における結露防止構造において、
上記庫体パネル側のヒータ線配設用溝部は、上記枠材と別体の形材によって形成されている、ことを特徴とする保冷庫等における結露防止構造。
【請求項３】
請求項２記載の保冷庫等における結露防止構造において、
上記形材は、中空部を有するアルミニウム合金製の押出形材である、ことを特徴とする保冷庫等における結露防止構造。
【請求項４】
請求項２又は３記載の保冷庫等における結露防止構造において、
上記形材の高さは、上記枠材の庫体パネル側の高さと同じである、ことを特徴とする保冷庫等における結露防止構造。
【請求項５】
請求項１ないし４のいずれかに記載の保冷庫等における結露防止構造において、
上記庫体パネル側及び開閉扉側のヒータ配設用溝部には、キャップ部材が被着されている、ことを特徴とする保冷庫等における結露防止構造。
【発明の詳細な説明】
【技術分野】
【０００１】
この発明は、保冷庫等における結露防止構造に関するもので、更に詳細には、庫体に設けられた開口部にヒンジを介して開閉可能な開閉扉を有し、庫内の温度を低温に保つ冷蔵庫，貯蔵庫などの保冷庫等におけるヒンジ部の結露防止構造に関するものである。
【背景技術】
【０００２】
一般に、野菜や穀物等の収納物を低温で保存する保冷庫として、片開き式あるいは観音開き式の開閉扉を有するものが使用されている。そして、これら開閉扉はヒンジを介して庫体に設けられた開口部を開閉可能に、庫体側に装着されており、更に、密閉性を保つためにパッキンが取り付けられている。
【０００３】
また、この種の保冷庫等においては、開口部の冷気漏れによる開口部付近の結露を防止するために、庫体の開口部側に取り付けられた枠材にヒータ線配設用溝部を設ける構造とするか（特許文献１参照）、あるいは、合成樹脂製の扉枠材にヒータ線配設用溝部を設ける構造とするものが知られている（特許文献２参照）。
【特許文献１】実開平６−６９６７９号公報（図４）
【特許文献２】特開平７−２６９２４１号公報（特許請求の範囲、段落番号００２９、図１，図５，図６）
【発明の開示】
【発明が解決しようとする課題】
【０００４】
しかしながら、庫内の温度が非常に低い場合、あるいは、外部が非常に多湿である場合等、保冷庫等の使用環境によっては、結露が非常に広範囲に生じる虞がある。特に、片開き式あるいは観音開き式の開閉扉においては、ヒンジより外側で結露が生じる虞があった。
【０００５】
これを防止するためには、ヒータ線の通電量を増大させ、発熱量を増加させる方法が考えられるが、ヒータ線配設用溝部を有する枠材は合成樹脂製部材にて形成されるため、発熱量の増加によって枠材自体が熱によって変形する虞があった。また、ヒータ線の通電量にも限界がある。
【０００６】
この発明は、上記事情に鑑みてなされたもので、極めて結露が生じ易い環境にあるヒンジ部においても、容易かつ広範囲に渡って結露防止を行える保冷庫等の結露防止構造を提供することを課題とする。
【課題を解決するための手段】
【０００７】
上記目的を達成するため、請求項１記載の発明は、庫体に設けられた開口部にヒンジを介して開閉可能な開閉扉を有し、庫内の温度を低温に保つ保冷庫等において、  上記開口部を形成する庫体パネルの開口部側縁部に、上記ヒンジを固定するための枠材を設け、  上記枠材におけるヒンジ固定箇所の上記開閉扉側及び庫体パネル側の両側に、ヒータ線配設用溝部を設けてなる、ことを特徴とする。
【０００８】
この発明において、上記庫体パネル側のヒータ線配設用溝部は、上記枠材と別体の形材によって形成される方が好ましい（請求項２）。
【０００９】
また、上記形材を、中空部を有するアルミニウム合金製の押出形材にて形成する方が好ましい（請求項３）。
【００１０】
また、上記形材の高さは、上記枠材の庫体パネル側の高さと同じである方が好ましい（請求項４）。
【００１１】
加えて、上記庫体パネル側及び開閉扉側のヒータ配設用溝部には、キャップ部材が被着されている方が好ましい（請求項５）。
【発明の効果】
【００１２】
（１）請求項１記載の発明によれば、庫体パネルの開口部縁部に設けられた枠材におけるヒンジ固定箇所の開閉扉側及び庫体パネル側の両側に、ヒータ線配設用溝部を設けることにより、ヒンジを挟んだ広い領域に渡って、ヒータ線に過度の通電を行うことなく結露を防止することができる。
【００１３】
（２）請求項２記載の発明によれば、庫体パネル側のヒータ線配設用溝部を、上記枠材と別体の形材によって形成することにより、上記（１）に加えて更に、使用環境に応じて自由にヒータ線を増設、あるいは、撤去することが可能になる。また、既存の保冷庫等の開口部に対しても枠材の交換を行わずに結露防止能力を向上させることができる。
【００１４】
（３）請求項３記載の発明によれば、上記形材が中空部を有するアルミニウム合金製の押出形材にて形成されているので、上記（１），（２）に加えて更に、ねじりや曲げに対する剛性が高く、増設や撤去の際の負荷や使用時における荷物の衝突等の衝撃に対しても変形、破損し難い。また、熱伝導率も高いため、結露防止能力を更に向上させることができる。
【００１５】
（４）請求項４記載の発明によれば、上記形材の高さを、上記枠材の庫体パネル側の高さと同じにすることにより、上記（１）〜（３）に加えて更に、各々別体に形成されている形材と枠材に一体感が生じ、複数の部材で開口部を形成することによる複雑な外観をなくし、美観の向上を図ることができる。
【００１６】
（５）請求項５記載の発明によれば、庫体パネル側及び開閉扉側のヒータ配設用溝部に、キャップ部材を被着することにより、上記（１）〜（４）に加えて更に、ヒータ線の破損を防ぐことができる。また、溝部を外部から塞ぐことによって開口部をすっきりとした外観にすることができる。
【発明を実施するための最良の形態】
【００１７】
以下、この発明の最良の形態について、添付図面に基づいて詳細に説明する。ここでは、この発明に係る結露防止構造を観音開き式の開閉扉を有する保冷庫に適用した場合について説明する。
【００１８】
上記保冷庫は、図１及び図２に示すように、庫体１に設けられた開口部２にヒンジ３を介して開閉可能な観音開き式の開閉扉４を具備している。
【００１９】
庫体１を構成する庫体パネル５によって開口部２が形成されており、庫体パネル５の開口部側縁部には、ヒンジ３を固定するための枠材１０が取り付けられている。この枠材１０におけるヒンジ固定箇所の開閉扉側及び庫体パネル側の両側には、ヒータ線配設用溝部４０Ａ，４０Ｂが設けられている。
【００２０】
上記庫体パネル５は、一対のアルミニウム合金製の表面板５ａと両表面板５ａの辺部間に装着される凸条６ａを有する合成樹脂製のパネル枠部材６と、これら表面板５ａとパネル枠部材６とで形成される空間内に充填される例えば発泡ポリウレタン製の断熱材７とで構成されている。
【００２１】
また、開閉扉４は、図２に示すように、開口部２の開口部縁部と対向するように形成されたフランジ部４ａと、開口部２内に張り出るように形成された庫内側断熱厚肉部４ｂとを有する断面凸状に形成されている。すなわち、開閉扉４は、開口部２に取り付けられた後述する入口枠部材２０のコーナ部と対応する段差部８ａを有する枠体８と、この枠体８の庫体内方面及び庫体外方面に張設された例えばアルミニウム合金製の表面板９ａ，９ｂと、これら枠体８と表面板９ａ，９ｂによって形成された空間内に充填される例えば発泡ポリウレタン製の断熱材７Ａとで主に構成されている。そして、開閉扉４の内側周縁部には、入口枠部材２０の外側片２２との間をシールする合成ゴム製のパッキン４ｃが設けられている。
【００２２】
なお、両開閉扉４の召合せ部において、一方の開閉扉４（図１において左側）に係止受座６１が取り付けられ、他方の開閉扉４（図１において右側）には係止受座６１に着達可能に係合する連動ハンドル６２が取り付けられている。また、一方の開閉扉４（図１において左側）の上部には、開口部２の上部の入口枠部材２０に取り付けられたロック受座６３に着脱可能に係合するロックレバー６４が取り付けられている。また、両開閉扉４の下端部には、開閉扉４と床部Ｆとの隙間を塞ぐずれパッキン６５が垂下されている。
【００２３】
上記枠材１０は、庫体パネル５の開口部側縁部すなわち開口側端面及び該開口側端面に連なる外側端面に取り付けられる発泡合成樹脂、例えば発泡ＡＢＳ樹脂製の断面略Ｌ字状の入口枠部材２０と、この入口枠部材２０の庫体パネル側の端部に接触して取り付けられる溝付き部材３０とで構成されている。
【００２４】
この場合、入口枠部材２０は、庫体パネル５の開口側端面に当接する開口側片２１と、この開口側片２１の一端に連なる外側片２２とからなり、外側片２２の開口部側には、２条のヒータ線配設用溝４１と、その両側に位置するキャップ嵌合用溝４２とを有するヒータ線配設用溝部４０Ａが設けられている。また、入口枠部材２０の外側片２２は、庫体パネル側面に凹溝４３が設けられると共に、この凹溝４３内に例えばアルミニウム合金製の押出形材にて形成される断面略コ字状の補強部材４４が嵌挿されている。そして、外側片２２，補強部材４４及び庫体パネル５を貫通する取付ボルト４５ａと、庫内側に突出する取付ボルト４５ａに螺合するナット４５ｂからなる取付部材４５によって入口枠部材２０が庫体パネル５に固定されている（図３参照）。なお、取付ボルト４５ａとナット４５ｂの螺合部はキャップ４５ｃによって被覆されている。また、入口枠部材２０の外側片２２におけるヒータ線配設用溝部４０Ａの庫体パネル側に固定ボルト２３によってヒンジ３が固定されている。なお、上記入口枠部材２０の開口側片２１の内側には、庫体パネル５に設けられた凸条６ａに嵌合する凹条２４が形成されている（図２及び図３参照）。
【００２５】
また、溝付き部材３０は、矩形状の中空部３１とヒータ線配設用溝部４０Ｂを有するアルミニウム合金製の押出形材によって形成されている。この溝付き部材３０は枠材１０の庫体パネル側すなわち入口枠部材２０の外側片２２の高さと同じ高さに形成されている。また、溝付き部材３０には、ヒータ線配設用溝部４０Ａと同様に、２条のヒータ線配設用溝４１と、その両側に位置するキャップ嵌合用溝４２とを有するヒータ線配設用溝部４０Ｂが設けられている。
【００２６】
このように構成される溝付き部材３０は、中空部３１の外側部に設けられた図示しない透孔を貫通するドライバ等の工具によって中空部３１の庫体パネル側にねじ込まれる固定ねじ３２によって庫体パネル５に固定されている。
【００２７】
上記のように構成される溝付き部材３０は、中空部３１を有するアルミニウム合金製の押出形材によって形成されているので、ねじりや曲げに対する剛性が高く、増設や撤去の際の負荷や使用時における荷物の衝突等の衝撃に対しても変形、破損し難い。また、熱伝導率も高いため、結露防止能力を向上させることができる。
【００２８】
上記のように構成される入口枠部材２０と溝付き部材３０におけるヒータ線配設用溝部４０Ａ，４０Ｂのヒータ線配設用溝４１内にヒータ線Ｈが配設（配線）された状態で、キャップ嵌合用溝４２にキャップ部材５０が嵌合（被着）されて、ヒータ線Ｈを外部から目隠しするようになっている。
【００２９】
上記キャップ部材５０は、アルミニウム合金製の押出形材によって形成され、帯状基片５１の両端に一対の脚片５２を有する断面略コ字状に形成され、また、各脚片５２には、ヒータ線配設用溝部４０Ａ，４０Ｂのキャップ嵌合用溝４２に設けられた内向き係止突起４２ａに係合すべく屈曲係合部５３が設けられている（図３及び図５参照）。
【００３０】
このように構成されるキャップ部材５０は、両脚片５２をヒータ線配設用溝部４０Ａ，４０Ｂのキャップ嵌合用溝４２内に挿入することにより、脚片５２が弾性変形して屈曲係合部５３がキャップ嵌合用溝４２の内向き係止突起４２ａに係合した状態でヒータ線配設用溝部４０Ａ，４０Ｂに被着される。この状態において、キャップ部材５０の帯状基片５１はヒータ線配設用溝部４０Ａ，４０Ｂの外側端部より突出しないようになっており、キャップ部材５０を被着した状態において、入口枠部材２０の外側片２２と溝付き部材３０とが同一面状に位置している。これにより、入口枠部材２０と溝付き部材３０に一体感をもたせることができると共に、複数の部材で開口部２を形成することによる複雑な外観をなくし、美観の向上を図ることができる。
【００３１】
上記のように構成される保冷庫によれば、庫体１の開口部２に取り付けられる枠材１０が、入口枠部材２０と、この入口枠部材２０の庫体パネル側に隣接する溝付き部材３０とで別体に形成されるので、使用環境に応じて自由にヒータ線Ｈを増設、あるいは、撤去することが可能になる。また、既存の保冷庫の開口部に対しても枠材の交換を行わずに結露防止能力を向上させることができる。
【００３２】
なお、上記実施形態では、観音開き式開閉扉４を有する保冷庫について説明したが、勿論片開き式の開閉扉を有する保冷庫等にも適用できる。また、この発明に係る結露防止構造の技術は、開閉扉のヒンジ近傍のみならず、開閉扉の召合せ部、開口部の上下端部等、様々な箇所に適宜用いることができる。
【図面の簡単な説明】
【００３３】
【図１】この発明に係る保冷庫の開閉扉を示す正面図である。
【図２】図１のＩ部を示す断面図である。
【図３】この発明における枠材の取付状態を示す断面斜視図である。
【図４】この発明における形材を形成する溝付き部材を示す斜視図である。
【図５】この発明におけるキャップ部材を示す斜視図である。
【符号の説明】
【００３４】
１  庫体
２  開口部
３  ヒンジ
４  開閉扉
５  庫体パネル
１０  枠材
２０  入口枠部材
２１  開口側片
２２  外側片
３０  溝付き部材（形材）
３１  中空部
４０Ａ，４０Ｂ  ヒータ線配設用溝部
４１  ヒータ線配設用溝
４２  キャップ嵌合用溝
５０  キャップ部材
【図１】
2007113871.tif 000003
【図２】
2007113871.tif 000004
【図３】
2007113871.tif 000005
【図４】
2007113871.tif 000006
【図５】
2007113871.tif 000007